(57)【要約】【課題】  各種の処理を目的とした水改質処理を、低コストにて効率的に行うことができる水改質方法および水改質装置の提供。【解決手段】水配管や貯水層等の水中に没した状態で配置させることにより水に所定の機能を付加する水改質装置であって、イオン化傾向（電位）の異なる２種類の異種金属４１、４２が互いに密着した状態で備えられた構成とすることにより、２種類の異種金属板のうちイオン化傾向の小さい電位の高い方の金属板４２の腐蝕を防止しようとして電位の低い方の金属板４１から高い方の金属板４２へ電子を移動させるイオン化傾向の大きい電位の低い方の金属板４１の犠牲腐蝕作用により該イオン化傾向の大きい電位の低い方の金属板４１から金属イオンを永続的に溶出させ、この金属イオンが持つ機能を水及び／又は該水が接する水配管や貯水層等に作用させるようにした。【選択図】        図１
2006116527.tif 000002
【特許請求の範囲】
【請求項１】
水配管や貯水層等の水中に没した状態で配置させることにより水に所定の機能を付加する水改質方法であって、
イオン化傾向（電位）の異なる２種類の異種金属を互いに密着させた状態で処理すべき水中に没する状態で配置させることにより、前記２種類の異種金属のうちイオン化傾向の小さい電位の高い方の金属の腐蝕を防止しようとして電位の低い方の金属から高い方の金属へ電子を移動させるイオン化傾向の大きい電位の低い方の金属の犠牲腐蝕作用により該イオン化傾向の大きい電位の低い方の金属から金属イオンを永続的に溶出させ、この金属イオンが持つ機能を水及び／又は該水が接する水配管や貯水層等に作用させるようにしたことを特徴とする水改質方法。
【請求項２】
水配管や貯水層等の水中に没した状態で配置させることにより水に所定の機能を付加する水改質装置であって、
イオン化傾向（電位）の異なる２種類の異種金属が互いに密着した状態で備えられた構成とすることにより、前記２種類の異種金属のうちイオン化傾向の小さい電位の高い方の金属の腐蝕を防止しようとして電位の低い方の金属から高い方の金属へ電子を移動させるイオン化傾向の大きい電位の低い方の金属の犠牲腐蝕作用により該イオン化傾向の大きい電位の低い方の金属から金属イオンを永続的に溶出させ、この金属イオンが持つ機能を水及び／又は該水が接する水配管や貯水層等に作用させるように構成されていることを特徴とする水改質装置。
【請求項３】
前記２種類の異種金属のうちのいずれか一方の金属に対しもう一方の金属がクラッド接合されることによって互いに密着されていることを特徴とする請求項１又は２に記載の水改質方法又は水改質装置。
【請求項４】
前記２種類の異種金属のうちイオン化傾向の大きい電位の低い方の金属に対しイオン化傾向の小さい電位の高い方の金属がクラッド接合されることによって互いに密着されていることを特徴とする請求項３に記載の水改質方法又は水改質装置。
【請求項５】
前記２種類の異種金属がそれぞれ多数に分割混合された状態で互いに密着する状態に焼結結合されていることを特徴とする請求項１又は２に記載の水改質方法又は水改質装置。
【請求項６】
前記２種類の異種金属のうちイオン化傾向の大きい電位の低い金属にイオン化傾向の小さい電位の高い金属が多数に分割混合された状態で鋳込まれることにより表面に２種類の異種金属の接触境界部分が多数形成されていることを特徴とする請求項１又は２に記載の水改質方法又は水改質装置。
【請求項７】
前記２種類の異種金属を貫く多数の孔を切削しもしくは打ち抜くことにより、前記多数の孔の内周面に２種類の異種金属の接触境界部分が多数形成されていることを特徴とする請求項１〜６のいずれか１項に記載の水改質方法又は水改質装置。
【請求項８】
前記２種類の異種金属のうちイオン化傾向が小さい電位の高い方の金属として、該金属材料を引き延ばし加工することにより金属組織が脆弱化された金属が用いられていることを特徴とする請求項１又は２に記載の水改質方法又は水改質装置。
【請求項９】
前記２種類の異種金属のうちイオン化傾向が小さい電位の高い方の金属として、板状金属材料に千鳥状に切れ目を入れて押し広げて略菱形網目状に加工することにより金属組織が脆弱化された金属が用いられ、
該金属組織が脆弱化されたイオン化傾向が小さい電位の高い方の金属をその一部が表面に露出する状態でイオン化傾向が大きい電位の低い方の金属に鋳込むことにより、イオン化傾向（電位）の異なる２種類の異種金属が互いに密着されていることを特徴とする請求項８に記載の水改質方法又は水改質装置。
【請求項１０】
前記２種類の異種金属のうちイオン化傾向が大きい電位の低い方の金属が銅で構成されていることを特徴とする請求項１〜９のいずれか１項に記載の水改質方法又は水改質装置。
【請求項１１】
前記２種類の異種金属のうちイオン化傾向が大きい電位の低い方の金属が鉄で構成されていることを特徴とする請求項１〜９のいずれか１項に記載の水改質方法又は水改質装置。
【請求項１２】
前記２種類の異種金属のうちイオン化傾向が大きい電位の低い方の金属が亜鉛で構成されていることを特徴とする請求項１〜９のいずれか１項に記載の水改質方法又は水改質装置。
【発明の詳細な説明】
【技術分野】
【０００１】
本発明は、水配管や貯水層等の水中に没した状態で配置させることにより水に所定の機能を付加する水改質方法および水改質装置に関する。
【背景技術】
【０００２】
水改質の内容としては以下に列挙するように種々のものがあり、従来それぞれに対応策が取られていた。
１．透明水槽等の壁面につく藻類の発生防止を目的とした水改質処理。
【０００３】
従来のこの種の水改質処理としては、例えば、光り触媒反応器やイオン交換処理器を用いるようにしたものがある（例えば、特許文献１参照）。
２．濁水等における不純物の凝集沈殿を目的とした水改質処理
【０００４】
従来のこの種の水処理としては、例えば、濁水中に複数の電極を挿入して電圧を印加し、浮遊微粒子を凝集沈殿させるようにしたものがある（例えば、特許文献２参照）。
【特許文献１】特開２００３−２３９１７号公報
【特許文献２】特開２００２−２８２８６１号公報
【発明の開示】
【発明が解決しようとする課題】
【０００５】
１．透明水槽等の壁面につく藻類の発生防止を目的とした水改質処理
【０００６】
従来例（例えば、特許文献１参照）の光り触媒反応器やイオン交換処理器を用いるものにあっては、コストが高くつくという問題がある。
２．濁水等における不純物の凝集沈殿を目的とした水改質処理
【０００７】
従来例（例えば、特許文献２参照）の濁水中に複数の電極を挿入して電圧を印加する方法にあっては、電源を必要とするため、ランニングコストが高くつくという問題がある。
【０００８】
本発明は、かかる従来の問題点を解決するためになされたものであって、その目的とするところは、上述のような各種の処理を目的とした水改質処理を、低コストにて効率的に行うことができる水改質方法および水改質装置を提供することにある。
【課題を解決するための手段】
【０００９】
前記目的を達成するための手段として、請求項１記載の水改質方法は、水配管や貯水層等の水中に没した状態で配置させることにより水に所定の機能を付加する水改質方法であって、イオン化傾向（電位）の異なる２種類の異種金属を互いに密着させた状態で処理すべき水中に没する状態で配置させることにより、前記２種類の異種金属のうちイオン化傾向の小さい電位の高い方の金属の腐蝕を防止しようとして電位の低い方の金属から高い方の金属へ電子を移動させるイオン化傾向の大きい電位の低い方の金属の犠牲腐蝕作用により該イオン化傾向の大きい電位の低い方の金属から金属イオンを永続的に溶出させ、この金属イオンが持つ機能を水及び／又は該水が接する水配管や貯水層等に作用させるようにしたことを特徴とする手段とした。
【００１０】
請求項２記載の水改質装置は、水配管や貯水層等の水中に没した状態で配置させることにより水に所定の機能を付加する水改質装置であって、イオン化傾向（電位）の異なる２種類の異種金属が互いに密着した状態で備えられた構成とすることにより、前記２種類の異種金属のうちイオン化傾向の小さい電位の高い方の金属の腐蝕を防止しようとして電位の低い方の金属から高い方の金属へ電子を移動させるイオン化傾向の大きい電位の低い方の金属の犠牲腐蝕作用により該イオン化傾向の大きい電位の低い方の金属から金属イオンを永続的に溶出させ、この金属イオンが持つ機能を水及び／又は該水が接する水配管や貯水層等に作用させるように構成されていることを特徴とする手段とした。
【００１１】
請求項３記載の水改質方法又は水改質装置は、請求項１又は２に記載の水改質方法又は水改質装置において、前記２種類の異種金属のうちのいずれか一方の金属に対しもう一方の金属がクラッド接合されることによって互いに密着されていることを特徴とする手段とした。
【００１２】
請求項４記載の水改質方法又は水改質装置は、請求項３に記載の水改質方法又は水改質装置において、前記２種類の異種金属のうちイオン化傾向の大きい電位の低い方の金属に対しイオン化傾向の小さい電位の高い方の金属がクラッド接合されることによって互いに密着されていることを特徴とする手段とした。
【００１３】
請求項５記載の水改質方法又は水改質装置は、請求項１又は２に記載の水改質方法又は水改質装置において、前記２種類の異種金属がそれぞれ多数に分割混合された状態で互いに密着する状態に焼結結合されていることを特徴とする手段とした。
【００１４】
請求項６記載の水改質方法又は水改質装置は、請求項１又は２に記載の水改質方法又は水改質装置において、前記２種類の異種金属のうちイオン化傾向の大きい電位の低い金属にイオン化傾向の小さい電位の高い金属が多数に分割混合された状態で鋳込まれることにより表面に２種類の異種金属の接触境界部分が多数形成されていることを特徴とする手段とした。
【００１５】
請求項７記載の水改質方法又は水改質装置は、請求項１〜６のいずれか１項に記載の水改質方法又は水改質装置において、前記２種類の異種金属を貫く多数の孔を切削しもしくは打ち抜くことにより、前記多数の孔の内周面に２種類の異種金属の接触境界部分が多数形成されていることを特徴とする手段とした。
【００１６】
請求項８記載の水改質方法又は水改質装置は、請求項１又は２に記載の水改質方法又は水改質装置において、前記２種類の異種金属のうちイオン化傾向が小さい電位の高い方の金属として、該金属材料を引き延ばし加工することにより金属組織が脆弱化された金属が用いられていることを特徴とする手段とした。
【００１７】
請求項９記載の水改質方法又は水改質装置は、請求項８に記載の水改質方法又は水改質装置において、前記２種類の異種金属のうちイオン化傾向が小さい電位の高い方の金属として、板状金属材料に千鳥状に切れ目を入れて押し広げて略菱形網目状に加工することにより金属組織が脆弱化された金属が用いられ、該金属組織が脆弱化されたイオン化傾向が小さい電位の高い方の金属をその一部が表面に露出する状態でイオン化傾向が大きい電位の低い方の金属に鋳込むことにより、イオン化傾向（電位）の異なる２種類の異種金属が互いに密着されていることを特徴とする手段とした。
【００１８】
請求項１０記載の水改質方法又は水改質装置は、請求項１〜９のいずれか１項に記載の水改質方法又は水改質装置において、前記２種類の異種金属のうちイオン化傾向が大きい電位の低い方の金属が銅で構成されていることを特徴とする手段とした。
【００１９】
請求項１１記載の水改質方法又は水改質装置は、請求項１〜９のいずれか１項に記載の水改質方法又は水改質装置において、前記２種類の異種金属のうちイオン化傾向が大きい電位の低い方の金属が鉄で構成されていることを特徴とする手段とした。
【００２０】
請求項１２記載の水改質方法又は水改質装置は、請求項１〜９のいずれか１項に記載の水改質方法又は水改質装置において、前記２種類の異種金属のうちイオン化傾向が大きい電位の低い方の金属が亜鉛で構成されていることを特徴とする手段とした。
【発明の効果】
【００２１】
本発明請求項１記載の金属イオン水の製造方法では、上述のように、イオン化傾向（電位）の異なる２種類の異種金属を互いに密着させた状態で処理すべき水中に没する状態で配置させることにより、前記２種類の異種金属のうちイオン化傾向の小さい電位の高い方の金属の腐蝕を防止しようとして電位の低い方の金属から高い方の金属へ電子を移動させるイオン化傾向の大きい電位の低い方の金属の犠牲腐蝕作用により該イオン化傾向の大きい電位の低い方の金属から金属イオンを永続的に溶出させることができるため、この金属イオンが持つ機能を水及び／又は該水が接する水配管や貯水層等に効率的に作用させることができる。
【００２２】
以上のように、この水改質方法にあっては、異種金属を互いに密着させただけの極めて簡単な構造のものを用いるだけであり、かつ、ランニングコストもかからないため、所定の水改質処理を低コストにて効率的に行うことができるようになるという効果が得られる。
【００２３】
請求項２記載の水改質装置では、上述のように、イオン化傾向（電位）の異なる２種類の異種金属が互いに密着した状態で備えられた構成とすることにより、前記２種類の異種金属のうちイオン化傾向の小さい電位の高い方の金属の腐蝕を防止しようとして電位の低い方の金属から高い方の金属へ電子を移動させるイオン化傾向の大きい電位の低い方の金属の犠牲腐蝕作用により該イオン化傾向の大きい電位の低い方の金属から金属イオンを永続的に溶出させることができるもので、これにより、この金属イオンが持つ機能を水及び／又は該水が接する水配管や貯水層等に作用させることができる。
【００２４】
以上のように、この水改質装置にあっては、異種金属を互いに密着させただけの極めて簡単な構造のものを用いるだけであり、かつ、ランニングコストもかからないため、所定の水改質処理を低コストにて効率的に行うことができるようになるという効果が得られる。
【００２５】
請求項３記載の水改質方法又は水改質装置では、上述のように、前記２種類の異種金属のうちのいずれか一方の金属に対しもう一方の金属がクラッド接合されることによって互いに密着されている構成としたことにより、容易かつ確実に密着状態とすることができるようになると共に、造作性、取扱い作業性にも優れる。
【００２６】
また、以上のように、２種類の異種金属の全面が確実に密着された状態になるため、イオン化傾向の大きい電位の低い方の金属から金属イオンが溶出されることにより該金属が減少しても、両金属が分離されることがなく、従って、イオン化傾向の大きい電位の低い方の金属が完全になくなるまで金属イオンを永続的に溶出させることができるようになる。
【００２７】
請求項４記載の水改質方法又水改質装置では、上述のように、前記２種類の異種金属のうちイオン化傾向の大きい電位の低い方の金属に対しイオン化傾向の小さい電位の高い方の金属がクラッド接合されることによって互いに密着されている構成としたことにより、金属イオンが溶出して減少するのはイオン化傾向が大きい電位の低い方の金属であるため、特にクラッド接合されるイオン化傾向の小さい電位の高い方の金属が銀等のように高価である場合においては、原価コストの大幅な低減が可能となる。
【００２８】
請求項５記載の水改質方法又水改質装置では、上述のように、前記２種類の異種金属がそれぞれ多数に分割混合された状態で互いに密着する状態に焼結結合されている構成とすることにより、表面全体に２種類の異種金属の接触境界部分が多数形成され、これにより、単位面積当たりの金属イオンの溶出量を多くすることができるようになる。
【００２９】
請求項６記載の水改質方法又水改質装置では、上述のように、前記２種類の異種金属のうちイオン化傾向の大きい電位の低い金属にイオン化傾向の小さい電位の高い金属が多数に分割混合された状態で鋳込まれることにより表面に２種類の異種金属の接触境界部分が多数形成されている構成としたことにより、単位面積当たりの金属イオンの溶出量を多くすることができるようになる。
【００３０】
請求項７記載の水改質方法又水改質装置では、上述のように、前記２種類の異種金属を貫く多数の孔を切削しもしくは打ち抜くことにより、前記多数の孔の内周面に２種類の異種金属の接触境界部分が多数形成されている構成としたことにより、単位体積当たりの金属イオンの溶出量を多くすることができるようになる。
【００３１】
請求項８記載の水改質方法又は水改質装置では、上述のように、前記２種類の異種金属のうちイオン化傾向が小さい電位の高い方の金属として、該金属材料を引き延ばし加工することにより金属組織が脆弱化された金属が用いられることにより、該イオン化傾向が小さい電位の高い方の金属が酸化腐食し易い状態になるため、この金属の腐蝕を防止しようとして電位の低い方の金属から高い方の金属へ電子を移動させるイオン化傾向の大きい電位の低い方の金属の犠牲腐蝕作用が促進され、これにより、該イオン化傾向の大きい電位の低い方の金属からの金属イオンの溶出量を増加させることができるようになる。
【００３２】
請求項９記載の水改質方法又は水改質装置では、上述のように、前記２種類の異種金属のうちイオン化傾向が小さい電位の高い方の金属として、板状金属材料に千鳥状に切れ目を入れて押し広げて略菱形網目状に加工することにより金属組織が脆弱化された金属が用いられ、該金属組織が脆弱化されたイオン化傾向が小さい電位の高い方の金属をその一部が表面に露出する状態でイオン化傾向が大きい電位の低い方の金属に鋳込むことにより、イオン化傾向（電位）の異なる２種類の異種金属が互いに密着されている構成とすることで、鋳ぐるみが強固で異種金属間の接合が強固になると共に、金属組織が脆弱化されることでイオン化傾向が小さい電位の高い方の金属が酸化腐食し易い状態になるため、この金属の腐蝕を防止しようとして電位の低い方の金属から高い方の金属へ電子を移動させるイオン化傾向の大きい電位の低い方の金属の犠牲腐蝕作用が促進され、これにより、該イオン化傾向の大きい電位の低い方の金属からの金属イオンの溶出量を増加させることができるようになる。また、多数の孔を切削しもしくは打ち抜く場合に比べ、材料を無駄にすることがない。
【００３３】
また、板状金属材料の押し広げによる金属組織の脆弱化度を調製することにより、金属イオンの溶出量を調製することができるようになる。
【００３４】
請求項１０記載の水改質方法又水改質装置では、上述のように、前記２種類の異種金属のうちイオン化傾向が大きい電位の低い方の金属が銅で構成されることにより、水中に銅イオンが永続かつ効率的に溶出され、この銅イオンによる殺菌、殺藻作用が得られる。
【００３５】
また、水槽に適用することにより、長期に亙って水をきれいな状態に維持させることができるようになる。
【００３６】
請求項１１記載の水改質方法又水改質装置では、上述のように、前記２種類の異種金属のうちイオン化傾向が大きい電位の低い方の金属が鉄で構成されることにより、処理すべき処理水に鉄イオンを永続かつ効率的に溶出することができる。
【００３７】
従って、例えば、川、湖、海水等に適用することにより、溶出された鉄イオンにより、水性動物と植物の養分となり、活性化させることができるようになると共に、鉄イオンが水中の燐と結合して燐酸鉄となり、水中に含まれる燐の固定化をすることができるようになる。
【００３８】
請求項１２記載の水改質方法又水改質装置では、上述のように、前記２種類の異種金属のうちイオン化傾向が大きい電位の低い方の金属が亜鉛で構成されることにより、水に亜鉛イオンを永続かつ効率的に溶出することができる。
【００３９】
従って、例えば、この発明を、クーリングタワーやプラスチック成形機の冷却システム等の吸水・排水配管等の水配管に適用することにより、配管内の水垢やカルシウム等のスケールを低コストにて除去すると共に、スケールの付着を防止することができるようになる。
【発明を実施するための最良の形態】
【００４０】
以下、本発明の実施例を詳細に説明する。
（実施例）
【００４１】
この実施例の水改質装置は、図１（縦断面図）および図２（図１のII−II線における断面図）に示すように、水配管の途中に介装させるようにした例を示すもので、両端に水配管への接続を行うためのフランジ１、２を備えた合成樹脂製の円筒状ケーシング３内に、中央に連通孔４ａを有する孔開き円盤状の水改質体４が合成樹脂等の非導電性材料で構成されるスペーサ５を介することで間に所定間隔の拡大室３ａを形成して複数個配置された構造となっている。
【００４２】
さらに詳述すると、前記水改質体４は、イオン化傾向（電位）の異なる２種類の異種金属板４１、４２のうち、イオン化傾向が大きい電位の低い方の２枚の金属板４１、４１の間に、該金属板４１、４１よりはイオン化傾向の小さい電位の高い金属板４２を挟み込んだ状態で互いに密着させた構造となっている。この密着方法としては、単に重ねて圧着溶接させたり、クラッド法により密着させる方法等がある。
【００４３】
この実施例の水改質装置は、以上のように構成されるため、これを水配管の途中に接続しておくことにより、上流側の水配管から円筒状ケーシング３内に流れ込んだ水が、各水改質体４の中央の連通孔４ａを経由して下流側の水配管に流れる。そして、円筒状ケーシング３内で各水改質体４が水に没した状態となることで、２種類の異種金属板４１、４２のうち、イオン化傾向の小さい電位の高い金属板４２の腐蝕を防止しようとして電位の低い方の金属から高い方の金属へ電子を移動させるイオン化傾向の大きい電位の低い方の金属板４１、４１の犠牲腐蝕作用により、酸化皮膜が形成されることなしに該イオン化傾向の大きい電位の低い方の金属板４１、４１から金属イオンが永続かつ効率的に溶出される。
【００４４】
従って、イオン化傾向の大きい電位の低い方の金属板４１、４１から溶出される金属イオンが持つ機能を水及び／又は該水が接する水配管に作用させることができるようになる。
【００４５】
例えば、イオン化傾向の大きい電位の低い方の金属板４１、４１の素材を銅（Ｃｕ）にすることにより、水中に溶出する銅イオンによる殺菌、殺藻作用が得られる。
【００４６】
また、金属板４１、４１の素材を鉄（Ｆｅ）で構成し、水改質装置を介装させた水配管で川や湖の水、又は海水等を循環させることにより、水生動物と植物の栄養となり、活性化させることができるようになると共に、鉄イオンが水中の燐と結合して燐酸鉄となり、これにより、水中に含まれる燐の固定化をすることができるようになる。
【００４７】
また、金属板４１、４１の素材を亜鉛（Ｚｎ）で構成し、クーリングタワーやプラスチック成形機の冷却システム等の吸水・排水配管等の水配管に適用することにより、配管内の水垢やカルシウム等のスケールを低コストにて除去することができると共に、スケールの付着を防止することができるようになる。
【００４８】
なお、金属板４１、４１よりはイオン化傾向の小さい電位の高い金属板４２として、銅（Ｃｕ）を用いると、銅に水が接触することで殺菌作用が得られる。
【００４９】
以上本発明の実施例を説明してきたが、本発明は上述の実施例に限られるものではなく、発明の要旨を逸脱しない範囲の設計変更等があっても本発明に含まれる。
【００５０】
例えば、実施例では、イオン化傾向の大きい電位の低い金属板４１、４１として、銅（Ｃｕ）、鉄（Ｆｅ）、亜鉛（Ｚｎ）を用いる場合を例にとったが、その他、アルミニウム（Ａｌ）、錫（Ｓｎ）、マグネシウム（Ｍｇ）、銀（Ａｇ）等、その他の全ての金属を用いることができ、また、それらの合金を用いることもできる。また、イオン化傾向の小さい電位の高い金属板４２としては実施例に例示した金属（銅）以外の任意の金属や、チタンその他の全ての金属およびその合金や酸化物等を用いることができる。
【００５１】
また、実施例では、円筒状ケーシング３を合成樹脂で構成させたが、金属製で内面に樹脂等の非導電性素材をコーティングし、又は、水改質体４の外周に非導電性素材をコーティングまたは装着するようにしてもよい。
【００５２】
また、実施例では、中央に連通孔４ａを有する孔開き円盤状の水改質体４としたが、図３に示すように、中央の連通孔４ａ以外に多数の孔４ｂを切削しもしくは打ち抜くことにより、前記多数の孔４ｂの内周面に２種類の異種金属の接触境界部分が多数形成され、これにより、金属イオンの溶出量を増加させることができるようになる。
また、水改質体４の形状は任意である。
【００５３】
また、実施例では、水改質体４として、２枚の金属板４１、４１の間に、金属板４２を挟み込んだ状態で互いに密着させた構造としたが、イオン化傾向が大きい電位の低い方の金属板４１の片面又は両面の全部又は一部に、イオン化傾向の小さい電位の高い方の金属をクラッド接合することにより互いに密着させるようにしてもよい。
【００５４】
また、水改質体４として、イオン化傾向の小さい電位の高い方の金属をカーボン、グラファイト等の炭素を含む粉、粒、線、又は繊維の状態のカーボンその他の金属で構成することで、これをイオン化傾向の大きい電位の低い方の金属内に混在する状態で多数鋳込むことができ、この２種類の異種金属を貫く多数の貫通孔を切削しもしくは打ち抜くことにより、多数の貫通孔の内周面に２種類の異種金属の接触境界部分が多数形成され、これにより、単位面積当たりの金属イオンの溶出量をさらに多くすることができるようになる。
【００５５】
また、水改質体４として、イオン化傾向（電位）の異なる２種類の異種金属のうちの一方の薄板状金属の表裏全面にもう一方の金属をクラッド接合することにより、両金属を互いに密着させた板材に、千鳥状に切れ目を入れて押し広げて略菱形網目状に加工することにより、押し広げられた各切れ目部分に２種類の異種金属の接触境界部分が多数形成されている構成とすることにより、金属イオンの溶出量を多くすることができるようになる。即ち、異種金属の境界部分が最も金属イオンの溶出量が多いため、金属イオンの溶出部となる切れ目部分が多数形成されることにより、単位面積当たりの金属イオンの溶出量を多くすることができるようになる。
また、材料を無駄にすることなしに、単位面積当たりの金属イオンの溶出量を多くすることができるようになる。
また、各切れ目を押し広げることにより金属組織が脆弱化して腐触し易くなり、これにより、金属イオンの溶出量を増やすことができるようになる。
また、切れ目部分が多数形成されることで、通水性が確保されるため、流れがある部分において特に威力を発揮することができるようになる。
【００５６】
また、実施例では、水配管の途中に介装させるタイプとして円筒状ケーシング内に水改質体４を収容したが、水改質体４を単体で用いることができる。その場合の水改質体の形状は任意である。
【００５７】
また、前記２種類の異種金属がそれぞれ多数に分割混合された状態で互いに密着する状態に焼結結合されている構成とすることにより、表面全体に２種類の異種金属の接触境界部分が多数形成され、これにより、単位面積当たりの金属イオンの溶出量を多くすることができるようになる。また、前記２種類の異種金属の一部分のみが密着するポーラス状にすることにより、さらに金属イオンの溶出量を増やすことができるようになる。
【００５８】
また、前記２種類の異種金属のうちイオン化傾向が小さい電位の高い方の金属として、該金属材料を引き延ばし加工することにより金属組織が脆弱化された金属が用いられることにより、該イオン化傾向が小さい電位の高い方の金属が酸化腐食し易い状態になるため、この金属の腐蝕を防止しようとして電位の低い方の金属から高い方の金属へ電子を移動させるイオン化傾向の大きい電位の低い方の金属の犠牲腐蝕作用が促進され、これにより、該イオン化傾向の大きい電位の低い方の金属からの金属イオンの溶出量を増加させることができるようになる。
【００５９】
また、前記２種類の異種金属のうちイオン化傾向が小さい電位の高い方の金属として、図４に示すように、板状金属材料に千鳥状に切れ目を入れて押し広げて略菱形網目状に加工することにより金属組織が脆弱化された金属を用い、該金属組織が脆弱化されたイオン化傾向が小さい電位の高い方の金属をその一部が表面に露出する状態でイオン化傾向が大きい電位の低い方の金属に鋳込むことにより、イオン化傾向（電位）の異なる２種類の異種金属が互いに密着させた状態とすることで、鋳ぐるみが強固で異種金属間の接合が強固になると共に、金属組織が脆弱化されることでイオン化傾向が小さい電位の高い方の金属が酸化腐食し易い状態になるため、この金属の腐蝕を防止しようとして電位の低い方の金属から高い方の金属へ電子を移動させるイオン化傾向の大きい電位の低い方の金属の犠牲腐蝕作用が促進され、これにより、該イオン化傾向の大きい電位の低い方の金属からの金属イオンの溶出量を増加させることができるようになる。また、パンチング金属板を用いる場合に比べ、材料を無駄にすることがない。
また、板状金属材料の押し広げによる金属組織の脆弱化度を調製することにより、金属イオンの溶出量を調製することができるようになる。
なお、２種類の異種金属を貫く多数の貫通孔を切削しもしくは打ち抜くことにより、多数の貫通孔の内周面に２種類の異種金属の接触境界部分が多数形成され、これにより、単位面積当たりの金属イオンの溶出量をさらに多くすることができるようになる。
【図面の簡単な説明】
【００６０】
【図１】本発明実施例の水改質装置を示す断面図である。
【図２】図１のII−II線における断面図である。
【図３】本発明の他の実施例を示す平面図である。
【図４】板状金属材料に千鳥状に切れ目を入れて押し広げて略菱形網目状に加工したイオン化傾向が小さい電位の高い方の金属を示す平面図である。
【符号の説明】
【００６１】
１  フランジ
２  フランジ
３  円筒状ケーシング
３ａ  拡大室
４  水改質体
４ａ  連通孔
４ｂ  孔
５  スペーサ
４１  イオン化傾向の大きい電位の低い方の金属板
４２  イオン化傾向の小さい電位の高い方の金属板
【図１】
2006116527.tif 000003
【図２】
2006116527.tif 000004
【図３】
2006116527.tif 000005
【図４】
2006116527.tif 000006